(57)【特許請求の範囲】
【請求項１】
天板の上方にＸ線管を保持する支柱と天板の背面に受像装置を保持する受像系を、機械的に天板の長手方向に移動できるように主枠に保持し、その主枠を介してＸ線管と受像系が移動するオーバチューブ式のＸ線透視撮影台において、前記支柱と前記受像系を主枠の両側面に機械的に独立してそれぞれ保持し移動するように構成したことを特徴とするＸ線透視撮影台。
【請求項２】
天板の上方にＸ線管を保持する支柱と天板の背面に受像装置を保持する受像系を、機械的に天板の長手方向に移動できるように主枠に保持し、その主枠を介してＸ線管と受像系が移動するオーバチューブ式のＸ線透視撮影台において、前記支柱を主枠側面に形成したリニアガイドで保持するように構成したことを特徴とする請求項１記載のＸ線透視撮影台。
【発明の詳細な説明】
【０００１】
【発明の属する技術分野】
本発明は、Ｘ線透視撮影台に係わり、特に、天板の長手方向にＸ線管と受像系が移動するオーバチューブ式のＸ線透視撮影台に関する。
【０００２】
【従来の技術】
遠隔操作式透視撮影台は、胃部Ｘ線検査を主体とした上部消化管検査に主眼を置きながら、１台で注腸（大腸）、泌尿器系、胸部内視鏡検査や神経系などの多様な診断目的に利用され、多目的撮影台として使用されている。
【０００３】
特に、Ｘ線管が天板の上方に位置し、スポット撮影装置やイメージングシステムが天板の下に位置したオーバチューブ式透視撮影台が用いられる。その理由はＸ線管が天板より離れた位置にあるため、天板の上部空間が大きく、被検者の観察も容易であり、さらに被検者の体位変換なども行いやすい。また、装置の動作時、被検者とＸ線管との干渉にあまり注意を払わなくてもよいため、動作が行い易く診断効率もよい。また、重いスポット撮影装置を天板の背面で保持しやすい機構に設計され、被検者に圧迫感を与えないことである。
【０００４】
オーバチューブ式透視撮影台は、天板の上部空間が大きいため、上記のように被検者に対する多種の診断、例えば、ミエロ（神経系）グラフィやＩＶＲを行う場合、他の診断、例えば、内視鏡診断や超音波診断などを併用することができる。
【０００５】
図３に、オーバチューブ式Ｘ線透視撮影台の水平位の側面図を示す。支柱３に保持されたＸ線管１と、天板７の背面に設けられた受像系５（スポット撮影装置及びイメジインテンシファイア６）が、透視撮影台の脚８の上部側面に設けられた主枠（図示せず）に保持されて、天板７の長手方向（Ａ位置とかＢ位置等）に移動できるように取付けられている。一方、天板７を長手方向と左右方向に移動させることができる。そして、透視撮影台を９０°（立位）〜−４５°（逆傾斜位）に起倒することができる。また、Ｘ線管１の焦点から受像系５までの距離は、Ｘ線管１の位置を前後に移動させることにより１１０〜１５０ｃｍに変化させることができ、コリメータ２は遠近両操作式で、撮影視野に応じて変更することができる。
【０００６】
図４にＸ線透視撮影台の水平位での端部側面方向から見た断面図を示す。Ｘ線管１とコリメータ２を支持する支柱３と、受像装置であるイメジインテンシファイア６を保持する受像系５が、機械的に連結しており、主枠４の上面に乗るような機構で、リニアガイド１０を介して天板７の長手方向に移動可能に保持されている。そして、基台である脚８に設けられた回転軸１２により主枠４が回転し透視撮影台を起倒することができる。
【０００７】
【発明が解決しようとする課題】
従来のＸ線透視撮影台は以上のように構成されているが、Ｘ線管１を支持する支柱３と受像系５が機械的に連結され、主枠４の上面に乗るように保持されており、それらが天板７の長手方向に駆動されるので、天板７の位置は、支柱３に当たらない位置までしか奥に移動できない。そのとき主枠４の部分が天板７よりさらに奥側に張出すこととなり、奥側から術者がアプローチする際に、天板７までの距離が離れすぎ、被検者１１に対する診断上の処置作業が難しくなるという問題がある。
【０００８】
本発明は、このような事情に鑑みてなされたものであって、Ｘ線透視撮影台の奥側から術者が、天板上に載せられた被検者にアプローチする際に、天板との距離を近くして、診断上の処置作業をし易くしたＸ線透視撮影台を提供することを目的とする。
【０００９】
【課題を解決するための手段】
上記の目的を達成するため、本発明のＸ線透視撮影台は、天板の上方にＸ線管を保持する支柱と天板の背面に受像装置を保持する受像系を、機械的に天板の長手方向に移動できるように主枠に保持し、その主枠を介してＸ線管と受像系が移動するオーバチューブ式のＸ線透視撮影台において、前記支柱と前記受像系を主枠の両側面に機械的に独立してそれぞれ保持し移動するように構成したものである。
【００１１】
そして、請求項１のＸ線透視撮影台は、天板の上方にＸ線管を保持する支柱と天板の背面に受像装置を保持する受像系を、機械的に天板の長手方向に移動できるように主枠に保持し、その主枠を介してＸ線管と受像系が移動するオーバチューブ式のＸ線透視撮影台において、前記支柱を主枠側面に形成したリニアガイドで保持し移動するように構成したものである。
【００１２】
本発明のＸ線透視撮影台は上記のように構成されており、Ｘ線管を保持する支柱を受像系とは反対の主枠の側面で機械的に保持し移動させ、または、Ｘ線管を保持する支柱と、天板の背面に受像装置を保持する受像系を、主枠の両側面に機械的に独立してそれぞれ保持し、Ｘ線管と受像系を天板の長手方向に独立して移動させ、その移動は支柱を主枠側面に形成したリニアガイドで保持して行うことができる。Ｘ線管を保持する支柱は主枠の側面に保持されているので、支柱が天板の長手方向に移動すると、支柱が占めていた空間が空くことになり、さらに、天板の奥側を主枠の上部まで移動させることができ、術者は天板の端まで近寄って、被検者の診断上の処置を楽な姿勢で行うことができる。
【００１３】
【発明の実施の形態】
本発明のＸ線透視撮影台の一実施例を図１を参照しながら説明する。図１の（ａ）は本発明のＸ線透視撮影台の水平位での端部側面方向から見た断面図を示し、（ｂ）はＸ線管１とコリメータ２を支持する支柱３の支持機構を示す。
本Ｘ線透視撮影台は、支柱３によって支持されたコリメータ２を備えたＸ線管１と、被検者１１を載せる天板７と、その天板７の背面に受像装置であるイメジインテンシファイア６を保持する受像系５と、透視撮影台の基台となる脚８と、その脚８の回転軸１２に連結され透視撮影台を起倒し、支柱３と受像系５を両側面に機械的に独立してそれぞれ保持する主枠４と、支柱３を主枠４に沿ってリニアガイド１０上を天板７の長手方向に駆動する駆動機構（モータ９、ギア１３、ラック１４など）と、受像系５を主枠４に沿ってリニアガイド１０上を天板７の長手方向に駆動する駆動機構（図示せず）とから構成されている。
【００１４】
本Ｘ線透視撮影台は、Ｘ線管１とコリメータ２を支持する支柱３が、主枠４に側面から支持されている。その支持機構は（ｂ）に示すように、支柱３がリニアガイド１０を介して主枠４の側面に取付けられている。そして、モータ９の動力によりギヤ１３が回転され、主枠４に設けられたラック１４とかみ合って支柱３が天板７の長手方向に移動する。受像装置であるイメジインテンシファイア６を保持する受像系５は、支柱３の取付け側面と反対側のリニアガイド１０を介して主枠４の側面に取付けられている。
【００１５】
そして、モータ、ギヤ、ラック等の駆動機構（図示せず）によって、支柱とは独立して、受像系５が天板７の長手方向に移動する。主枠４の上面には被検者１１を載せる天板７があり、Ｘ線管１や受像系５の動きとは独立して、縦横の平面で移動することができる。そして、天板７を奥側に主枠４の上部で支柱３の際まで移動させ、Ｘ線管１を支持している支柱３を天板７の長手方向に移動させると、支柱３が占めていた空間が空くことになり、術者は天板７ぎりぎりまでアプローチすることができる。また、主枠４は、床から支持された脚８の上部の回転軸１２に連結支持され、透視撮影台を起倒する。
【００１６】
リニアガイド１０は、支柱３及び受像系５を支持し、天板７の長手の直線方向に精度良く移動させるためのガイドで、転がりガイド、滑りガイド、磁気浮上ガイドなどがある。図１では、滑りガイドを用い、境界潤滑として潤滑剤を供給しない自己潤滑又は乾燥（無潤滑）したものを用いているが、転がりガイドによるレール形式（ボール形、ローラ形）、丸軸形式、平板形式、フォロア軸受組込み形式などのいずれでもよい。
【００１７】
次に、本Ｘ線透視撮影台の操作を図２を参照しながら説明する。図２は、術者１５が本Ｘ線透視撮影台の奥から天板７にアプローチした状態を示し、（ａ）は上面図を、（ｂ）は側面図を示す。
【００１８】
まず、Ｘ線透視撮影台を水平位の状態にする。そして、Ｘ線管１と受像系５の動きが独立した機構であるため、制御器によって、Ｘ線管１の焦点位置と受像系５のイメジインテンシファイア６の管軸を一致させる。そして、Ｘ線管１からＸ線を放射させ、コリメータ２によって必要な視野にモニタ上のＸ線像を見て絞り込む。次に、被検者１１を天板７上に載せる。再びＸ線を放射させ、モニタ上のＸ線透視像を観察しながら、制御器の操作パネルのハンドルを操作して、被検者１１の関心部位をモニタ上の中央に位置するように天板７をＸ−Ｙ方向に移動させ、必要により、Ｘ線スポット撮影を行う。
【００１９】
Ｘ線をＯＦＦし、診断部位によっては、コリメータ２の照射野照射ランプによって被検者１１の体表に関心部位のマーキングを行う。そして、天板７を主枠４の上部で支柱３の際まで移動させ、Ｘ線管１を支持している支柱３を、天板７の長手の下方向に移動させる。このとき支柱３が占めていた空間が空くことになり、術者１５は、天板７ぎりぎりまで奥側からアプローチすることができる。そして、Ｘ線透視診断に加えて、他の診断、例えば、内視鏡診断や超音波診断などを併用することができる。
【００２０】
Ｘ線透視撮影台には、受像系５を天板７の上側（頭部）の端から３８ｃｍまで近づけることができるものがあり、術者１５が、天板７の手前もしくは奥側にアプローチし、助手又は看護婦の支援を得て、術者１５が頭部から透視によってモニタリングを行いながら内視鏡検査を行ったり、天板７の上側に被検者１１の足を配して、アプローチした看護婦が造影剤を被検者１１の静脈に注入し、一定の時間間隔でＸ線技師がスポット撮影を行ったりする泌尿器検査（腎・尿路系の造影撮影）などがある。これらの検査を行うために、術者１５、助手、看護婦、Ｘ線技師などが、被検者１１に対する検査前処置を、被検者１１の周りで作業しなければならない。そのために本Ｘ線透視撮影台は、支柱３を天板７の長手方向に移動させることにより、支柱３が占めていた空間を空けることができ、さらに、天板７の奥側を主枠４の上部まで移動させることができるので、術者１５は天板７の端まで近寄って作業することができる。
【００２１】
【発明の効果】
本発明のＸ線透視撮影台は上記のように構成されており、Ｘ線管を保持する支柱が主枠の側面に保持されて、その支柱と受像系を機械的に連結して、又は、独立して天板長手方向に移動させることができ、その支柱を移動させることによって、支柱の占めていた空間が空き、さらに、天板を主枠の端で支柱の移動する際まで動かすことができるので、術者は天板の端まで近寄って、被検者の診断上の処置を楽な姿勢で行い、体位の負担を軽減することができる。
【図面の簡単な説明】
【図１】  本発明のＸ線透視撮影台の一実施例を示す図である。
【図２】  本発明のＸ線透視撮影台の奥側から術者がアプローチした状態を示す図である。
【図３】  従来のオーバチューブ式Ｘ線透視撮影台を示す図である。
【図４】  従来のＸ線透視撮影台のＸ線管と受像系の移動機構の断面を示す図である。
【符号の説明】
１…Ｘ線管
２…コリメータ
３…支柱
４…主枠
５…受像系
６…イメジインテンシファイア
７…天板
８…脚
９…モータ
１０…リニアガイド
１１…被検者
１２…回転軸
１３…ギヤ
１４…ラック
１５…術者
【図１】
0003640172.tif 000002
【図２】
0003640172.tif 000003
【図３】
0003640172.tif 000004
【図４】
0003640172.tif 000005